(57)【要約】  【課題】  原稿から読み取られた原稿画像に含まれた地紋パターンに基づいて該原稿についての複写を制限する複写制限処理を簡単且つ迅速に行うことのできる画像形成装置を提供すること。  【解決手段】  原稿から読み取られた（Ｓ２）原稿画像に含まれた地紋パターンの線数を検出して（Ｓ３），その検出された線数が既定の線数（６５線未満）であるか否かを判断し（Ｓ４），その判断結果により前記原稿についての複写を許可（Ｓ５）或いは制限（Ｓ６）する。【選択図】  図４
2007074548.tif 000002
【特許請求の範囲】
【請求項１】
原稿から読み取られた原稿画像に基づいて該原稿の複写を実行する画像形成装置であって，
前記原稿画像に含まれた地紋パターンの線数を検出する線数検出手段と，
前記線数検出手段により検出された線数に基づいて前記原稿についての複写を制限する複写制限手段と，
を備えてなることを特徴とする画像形成装置。
【請求項２】
前記複写制限手段が，
前記線数検出手段により検出された線数に，予め定められた制限線数が含まれていることを条件に，前記原稿についての複写を制限するものである請求項１に記載の画像形成装置。
【請求項３】
前記制限線数が，当該画像形装置による印字において通常使用されない未使用線数である請求項２に記載の画像形成装置。
【請求項４】
前記未使用線数が６５線未満の線数である請求項３に記載の画像形成装置。
【請求項５】
前記線数検出手段が，
前記原稿画像を示すデジタルデータにガウスフィルタ処理を施すガウスフィルタ処理手段と，
前記ガウスフィルタ処理手段によりガウスフィルタ処理されたデジタルデータの分散値を算出する分散値算出手段と，
前記分散値算出手段により算出された分散値に基づいて前記デジタルデータで示される前記原稿画像に含まれた地紋パターンの線数を特定する線数特定手段と，
を含んでなる請求項１〜４のいずれかに記載の画像形成装置。
【発明の詳細な説明】
【技術分野】
【０００１】
本発明は，原稿から読み取られた原稿画像に基づいて該原稿の複写を実行する画像形成装置に関し，特に，前記原稿画像に含まれた地紋パターンに基づいて前記原稿についての複写を制限する複写制限機能を有する画像形成装置に関するものである。
【背景技術】
【０００２】
原稿から読み取られた原稿画像に埋め込まれた地紋パターンに基づいて該原稿の複写を制限（禁止）する複写制限機能を備えた画像形成装置が既に周知である（例えば，特許文献１参照）。
このような画像形成装置には，複写を制限するための制限情報が予め記憶されており，複写の際には，原稿から読み取られた原稿画像に埋め込まれた地紋パターンに前記制限情報が含まれているか否かが判断される。ここで，前記地紋パターンに前記制限情報が含まれていると判断されると，その原稿についての複写は制限される。一般に，前記制限情報を含む地紋パターンは，通常の原稿に背景として印字されるような規則性のある簡単な模様と区別するために規則性の無い複雑な模様によって表現される。
【特許文献１】特開２００４−２７４０９２号公報
【発明の開示】
【発明が解決しようとする課題】
【０００３】
しかしながら，原稿画像に含まれた地紋パターンが規則性の無い複雑な模様であれば，その地紋パターンに制限情報が含まれているか否かの判断，即ち原稿の複写の可否の判断が迅速に行われないため，複写時間が遅延するという問題がある。また，場合によっては読み取られた地紋パターンと比較（マッチング）するための複数の制限情報（地紋パターン）を記憶しておくための記憶領域が必要となる。さらに，その制限情報や読み取られた地紋パターンが複雑なものであるため，これらを比較するための処理内容や回路構成が複雑化することも問題である。
従って，本発明は前記事情に鑑みてなされたものであり，その目的とするところは，原稿から読み取られた原稿画像に含まれた地紋パターンに基づいて該原稿についての複写を制限する複写制限処理を簡単且つ迅速に行うことのできる画像形成装置を提供することにある。
【課題を解決するための手段】
【０００４】
前記目的を達成するために本発明は，原稿から読み取られた原稿画像に基づいて該原稿の複写を実行する画像形成装置に適用されるものであって，前記原稿画像に含まれた地紋パターンの線数を検出し，その検出された線数に基づいて前記原稿についての複写を制限するように構成される。
このように構成された画像形成装置では，従来のように規則性の無い複雑な模様の地紋パターンを解析するような煩雑な処理を行う必要がなく，前記地紋パターンの線数に基づいて前記原稿についての複写を制限することができるため複写の可否の判断が迅速に行われ，ひいては複写時間が短縮される。即ち，前記地紋パターンは，その線数を特定することのできる模様であれば規則性のある簡単な模様であってもかまわない。また，前記原稿についての複写を制限するための制限情報（地紋パターン）を複数記憶しておく必要がないため，記憶領域を削減することができる。さらに，前記原稿画像に含まれた地紋パターンと制限情報との複雑な比較処理を行う必要がないため，前記原稿についての複写の可否を判断するための処理内容や回路構成を簡素化することができる。
さらに，従来では，パソコンなどの情報処理装置において地紋パターンが埋め込まれた原稿を，プリンタ等の画像形成装置で印字出力する際，即ち複写を制限するべき原稿を作成する際，その地紋パターンが規則性の無い複雑な模様であれば，プリンタ言語などへの変換処理などの印字出力過程において処理が遅延して迅速に印字出力が行われない。しかし，本発明によれば，前記地紋パターンを規則性のある簡単な模様で表現することが可能であるため，その印字出力過程において処理が遅延せず，複写制限原稿を迅速に印字出力することができる。
【０００５】
より具体的には，前記検出された線数に，予め定められた制限線数が含まれていることを条件に，前記原稿についての複写を制限することが考えられる。ここに，前記制限線数は，当該画像形装置による印字において通常使用されない未使用線数であることが考えられる。前記未使用線数としては，６５線未満の線数が一例に挙げられる。６５線未満の線数は一般的に画像形成装置で用いられることが少ないため汎用性に好適である。
ところで，前記地紋パターンの線数は，例えば，前記原稿画像を示すデジタルデータにガウスフィルタ処理を施して，そのガウスフィルタ処理後のデジタルデータの分散値を算出し，その分散値に基づいて前記デジタルデータで示される前記原稿画像に含まれた地紋パターンの線数を特定することにより容易に検出することが可能である。この場合，ガウスフィルタ処理後の画像データに基づいて線数が検出されているため，前記原稿画像に傾きが生じている場合にも，その線数の検出精度に影響がない。
【発明の効果】
【０００６】
本発明によれば，従来のように規則性の無い複雑な模様の地紋パターンを解析するような煩雑な処理を行う必要がなく，前記地紋パターンの線数に基づいて前記原稿についての複写を制限することができるため複写の可否の判断が迅速に行われ，ひいては複写時間が短縮される。即ち，前記地紋パターンは，その線数を特定することのできる模様であれば規則性のある簡単な模様であってもかまわない。また，前記原稿についての複写を制限するための制限情報（地紋パターン）を複数記憶しておく必要がないため，記憶領域を削減することができる。さらに，前記原稿画像に含まれた地紋パターンと制限情報との複雑な比較処理を行う必要がないため，前記原稿についての複写の可否を判断するための処理内容や回路構成を簡素化することができる。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る複合機Ｘの概略構成を示すブロック図，図２は前記複合機Ｘに設けられた線数検出装置６のシステムブロック図，図３（ａ）は１７×１７のガウスフィルタを示す図，図３（ｂ）はガウスフィルタの周波数特性を示す図，前記複合機Ｘにおいて制御部７によって実行される複写処理の一例を説明するフローチャートである。
【０００８】
まず，図１を用いて本発明の実施の形態に係る複合機Ｘの概略構成について説明する。なお，前記複合機Ｘは，原稿から読み取られた原稿画像に基づいて該原稿の複写を実行する複写機能を有するものであって，本発明に係る画像形成装置の一例に過ぎず，例えば複写機も本発明が適用される画像形成装置の一例に該当する。
図１のブロック図に示すように，前記複合機Ｘは，操作表示部１と，スキャナ部２と，画像処理部３と，画像形成部４と，ＬＡＮ通信部５と，線数検出装置６（線数検出手段の一例），制御部７と，を備えて概略構成されている。また，前記複合機Ｘは，前記ＬＡＮ通信部５，ＬＡＮ１０を介して情報処理装置Ａ（パーソナルコンピュータ等）と接続されており，画像形成システムを構成している。前記ＬＡＮ通信部５は，ＩＥＥＥ８０２．３規格やＩＥＥＥ８０２．１１ｂ規格などに準拠した有線又は無線による通信媒体，通信機器などからなり，前記ＬＡＮ１０を介した前記情報処理装置Ａとの通信を可能にするものである。
【０００９】
前記操作表示部１は，各種の情報を表示する液晶ディスプレイ，該液晶ディスプレイ上に配設されたタッチパネル等を備えて構成されている。
前記スキャナ部２は，ＣＣＤ（Charge Coupled Device）やＣＩＳ（Contact Image Sensor）等のイメージセンサを備えており，原稿台にセットされた原稿を走査することによって，該原稿の画像情報をライン毎に読み取って電子データ化するものである。
前記画像処理部３は，前記スキャナ部２により読み取られた画像データ，或いは前記情報処理装置Ａから受信した画像データに圧縮処理，濃度補正処理などの画像処理を施すものである。
前記画像形成部４は，前記画像処理部３により画像処理が施された画像データに応じた可視像（例えばトナー像）を記録紙に転写させて定着させるものであり，感光体ドラム，該感光体ドラムの表面を所定電位に一様に帯電させる帯電装置，前記感光体ドラムの表面を露光走査して静電潜像を形成するＬＳＵ，前記静電潜像にトナーを付着させて現像する現像装置，現像されたトナー画像を記録紙に転写する転写装置，転写されたトナー像を記録紙に定着させる定着装置などの周知の各種装置を備えて構成されている。
【００１０】
前記線数検出装置６は，前記スキャナ部２により読み取られた原稿画像のデジタルデータに複数のガウスフィルタを用いたガウスフィルタ処理を施すことによって，該原稿画像に含まれた線数を検出するものである。
図２に示すように，前記線数検出装置６は，前記スキャナ部２によって読み取られた画像データを当該線数検出装置６に入力する画像データ入力部６１と，前記画像データ入力部６１により入力された画像データにガウスフィルタ処理を施すガウスフィルタ処理部６２（ガウスフィルタ処理手段の一例）と，前記ガウスフィルタ処理部６２でガウスフィルタ処理が施された画像データの分散値を算出する分散値算出処理部６３（分散値算出手段の一例）と，前記分散値算出処理部６３により算出された分散値に基づいて前記画像データに含まれた線数を特定する線数特定部６４（線数特定手段の一例）と，これらを制御するＣＰＵやＤＳＰ等からなる不図示の演算処理部と，を備えて構成されている。
なお，ここでは，前記線数検出装置６の各構成要素をハード構成として説明するが，当該線数検出装置６の機能が，前記演算処理部や前記制御部７によって実行される線数検出プログラムに従った処理によって実現されるものであってもかまわない。この場合，かかる処理を実行する前記演算処理部或いは前記制御部７が線数検出手段に相当する。
【００１１】
ここで，図３を用いて，前記ガウスフィルタ処理部６２について説明する。
図３（ａ）に示されように，前記ガウスフィルタ処理部６２には，１７×１７のマトリクスからなるガウスフィルタ６２ａが使用される。ここで示されるマトリクスの１つのブロックは１画素を示すものとして説明するが，特にこれに限れず，１網点或いは数画素で構成されたものを示すと考えても差し支えない。図３（ｂ）には前記ガウスフィルタ６２ａの周波数特性を表すグラフ６２ｂが示されている。かかる周波数特性グラフ６２ｂは，横軸を前記ガウスフィルタ６２ａに入力される画像データの線数とし，縦軸を前記ガウスフィルタ６２ａによるガウスフィルタ処理後の画像データに含まれる網点成分のパワースペクトルとして，画像データの線数に対するガウスフィルタ処理後のパワースペクトルを表すものである。前記パワースペクトルは，画像データに周波数成分（網点成分）がどの程度含まれているかどうかを示す目安であり，この数値が略０を示すことは，即ちガウスフィルタ６２ａより画像データに含まれる網点成分が略完全に除去されたことを意味する。
【００１２】
前記線数検出装置６では，以下のような手順で画像データに含まれた線数が検出される。
まず，前記演算処理部（不図示）によって前記画像データ入力部６１から入力された画像データが，前記ガウスフィルタ処理部６２に転送される。これにより，前記ガウスフィルタ処理部６２では，前記ガウスフィルタ６２ａによって画像データに含まれる網点成分を除去するガウスフィルタ処理がなされる。
次に，前記分散値算出処理部６３によって，前記ガウスフィルタ処理部６２でガウスフィルタ処理が施された画像データの分散値が算出される。ここでいう分散値は，一般に確率統計で用いられる分散値のことであり，該分散値をσ2としたとき，下記の式（１）に示すように，分散値σ2は，前記ガウスフィルタ６２ａのマトリクスサイズ（１７×１７）を通過した２８９個の画素の各画素値ｘi（例えば２５６階調で表された場合のその階調度）の平均をｘPとしたときの各画素値の偏差σ〔＝ｘi−ｘP〕の２乗の平均値で表される。
【数１】
2007074548.tif 000003
前記（１）式からも分かるように，分散値σ2は前記マトリクスサイズの画像データ内における画素値のばらつきの度合いを表すものである。従って，前記分散値σ2が小さい場合は，前記画素値のばらつきが少ないことを意味し，即ち，隣接する画素間の階調差（濃度差）が小さいことを意味する。この分散値σ2が略０である場合は前記画素値のばらつきがほとんど無く，即ち画素間の階調差がほとんど無いことを意味する。逆に，前記分散値σ2が大きい場合は前記ばらつきが多いことを意味し，即ち画素間の階調差が大きいことを意味する。一般に，線数は使用する紙質と用途によってある程度決定されるものであり，例えば更紙の新聞では６５線〜８５線程度，上質紙の雑誌や書籍などでは１００線〜１３３線程度，アート紙の美術書などでは２００線程度が用いられている。
このように，従来印刷の分野では，紙質の最も粗い更紙への印刷に耐える線数として６５線を最小線数として採用しており，一般に６５線未満の線数が用いられることはまれである。したがって，本発明における後記の閾値の基準とする線数としては，この６５線未満の値を採用することとする。
【００１３】
そして，前記線数特定部６４によって，前記分散値σ2が所定の閾値ｋと比較され，前記分散値σ2の値が閾値ｋ以上であるかどうかが判断されることにより，入力された画像データに６５線未満の線数が含まれているか否かが特定される。ここに，前記閾値ｋは，線数が６５線のときにおける分散値である。上述した周波数特性グラフから読み取られるように，線数が６５線未満の画像データが入力された場合は，ガウスフィルタ処理を行っても網点成分を十分に除去することができない。このような場合，前記分散値σ2は大きくなり，所定の閾値ｋを越えてしまう。
したがって，前記分散値σ2の値が閾値ｋ以上である場合には，入力された画像データに６５線未満の線数が含まれていることが特定され，前記分散値σ2が閾値ｋ未満である場合には，入力された画像データに６５線未満の線数が含まれていないこと，即ち６５線以上であることが特定される。
このようにして前記線数検出装置６では，前記スキャナ部２によって読み取られた画像データに含まれる線数が適確に識別される。また，前記線数検出装置６では，ガウスフィルタ処理後の画像データに基づいて線数が検出されているため，前記原稿画像データに傾きが生じている場合にも，その線数の検出精度に影響がない。
【００１４】
前記制御部７は，ＣＰＵやＲＯＭ，ＲＡＭなどの制御機器を備え，前記ＲＯＭに格納された所定の制御プログラムに従った処理を実行することによって，当該複合機Ｘを統括的に制御するものであって，具体的には複写ジョブやプリンタジョブなどを実現する。
当該複合機Ｘは，前記制御部７によって実行される複写ジョブにおいて，前記スキャナ部２により原稿から読み取られた原稿画像に含まれた地紋パターンに予め定められた制限線数が含まれている場合に，該原稿の複写を制限する点に特徴を有している。ここで，前記複合機Ｘでは，後述する複写処理（図４のフローチャート参照）で複写の可否を判断するための指標として６５線未満の線数が制限線数として予め設定されている。なお，前記のように複合機Ｘを含む一般的な画像形成装置による印字処理においては，通常，６５線以上の線数が用いられ，６５線未満の線数（未使用線数の一例）は使用されない。
【００１５】
以下，図４のフローチャートに従って，前記複合機Ｘにおいて前記制御部７により実行される複写処理の手順の一例について説明する。なお，図中のＳ１，Ｓ２，…は処理手順（ステップ）の番号を表している。
ここでは，線数が５３線で表現された地紋パターンが含まれた原稿についての複写が要求されたときに実行される処理例について説明する。なお，この５３線は，当該複合機Ｘの印字出力時の解像度が６００ｄｐｉである場合に用いられる線数１０６の半分の値であって，印字処理を容易に行い得る線数である。
まず，ステップＳ１では，複写の実行要求がなされたか否かが前記制御部７によって判断される。例えば，使用者による前記操作表示部１への複写開始の操作がなされたか否かが判断される。ここで，複写要求がなされたと判断されると（Ｓ１のＹｅｓ側），処理はステップＳ２に移行する。
【００１６】
ステップＳ２では，前記制御部７により前記スキャナ部２が制御されることによって，該スキャナ部２により，原稿台にセットされた原稿から原稿画像の画像データ（以下，原稿画像データという）が読み取られる。なお，ここで読み取られた原稿画像データには，線数が５３線で表現された地紋パターンが含まれている。また，本実施の形態では，前記スキャナ部２により読み取られた原稿について複写の可否を判断する処理例を説明するが，前記情報処理装置Ａから送信される原稿画像データについての複写の可否を判断する場合にも同様に処理すればよい。
【００１７】
続くステップＳ３では，前記制御部７により前記線数検出装置６が制御されることによって，該線数検出装置６において前記原稿画像データに含まれた地紋パターンの線数が検出される。なお，前記線数検出装置６による線数検出は，既に述べたように，前記ガウスフィルタ処理部６２においてガウスフィルタ６２ａを用いてガウスフィルタ処理が施された原稿画像データの分散値に基づいて行われる。ここでは，前記地紋パターンが５３線の線数で表現されているため，前記原稿画像データに６５線未満の線数が含まれていることが検出される。
【００１８】
次に，ステップＳ４では，前記線数検出装置６によって検出された線数，即ち前記原稿画像データに６５線未満の線数が含まれているか否かが前記制御部７によって判断される。ここでは，前記ステップＳ３において６５線未満が含まれていることが検出されているため肯定判断され（Ｓ４のＹｅｓ側），処理はステップＳ６に移行する。
なお，前記ステップＳ３において前記原稿画像データに６５線未満の線数が含まれていないと判断された場合には（Ｓ４のＮｏ側），前記原稿が複写制限するべきものではないと判断され，処理はステップＳ５に移行し，前記原稿画像データが前記画像形成部４に転送されることにより該原稿についての複写が行われる。
【００１９】
一方，ステップＳ６では，前記制御部７によって前記原稿についての複写が制限され，一面をグレイに塗りつぶして出力する所謂グレイアウト出力が実行される。ここに，かかる制限処理を実行するときの前記制御部７が，複写制限手段に相当する。なお，前記制御部７による複写制限処理は，グレイアウト出力に限定されるものではなく，例えば，黒や白の塗りつぶしであってもよく，また，印字自体が禁止されて用紙が出力されず，前記操作表示部１に前記原稿が複写制限されるべき原稿である旨が表示されるものであってもよい。
【００２０】
以上説明したように，前記複合機Ｘでは，前記スキャナ部２によって原稿から読み取られた原稿画像に含まれた地紋パターンの線数を検出し，その検出された線数に基づいて前記原稿についての複写の可否を判断することができるため，前記地紋パターンはその線数を特定することのできる程度の規則性のある簡単な模様であってよい。したがって，従来のように規則性の無い複雑な模様の地紋パターンを解析するような煩雑な処理を行う必要がないため，複写の可否の判断が迅速に行われ，ひいては複写時間が短縮される。
また，前記複合機Ｘでは，従来のように原稿に埋め込まれた地紋パターンと当該複合機Ｘに制限情報として記憶された地紋パターンとを比較するものではないため，該比較対象となる地紋パターンを複数記憶しておく必要がなく，記憶領域を削減することができる。
【００２１】
ところで，例えば前記情報処理装置Ａにおいて，前記複合機Ｘで複写が制限されるべき原稿を作成する際には，従来のように模様が規則性の無い複雑な地紋パターンを埋め込むのではなく，線数が６５線未満の規則性のある簡単な模様の地紋パターンを埋め込むだけでよい。そのため，前記情報処理装置Ａから前記複合機Ｘや一般的なプリンタ装置などの画像形成装置に出力して，その複写制限が施された原稿を印字するときの印字処理過程，例えば前記情報処理装置Ａや前記画像形成装置のプリンタドライバで実行されるプリンタ言語への変換処理などが迅速に行われ，印字処理に要する時間が短縮される。但し，前記情報処理装置Ａから前記複合機Ｘに対して線数が６５線未満で表現された地紋パターンが含まれた原稿画像データを送信する際には，該原稿画像データの印字の印字制限を解除する必要がある。例えば，前記情報処理装置Ａから前記複合機Ｘへの原稿画像データの出力の際に所定の暗証番号の入力・照合によって前記印字制限か解除される構成が考えられる。もちろん，前記情報処理装置Ａからの画像データの出力時には印字制限を行わないことも考えられる。
【実施例１】
【００２２】
また，図３（ｂ）に示すように，前記ガウスフィルタ処理部６２において，線数が６５線の画像データにガウスフィルタ処理が施された場合には，その処理後の画像データのパワースペクトルが０．２となり，線数が線６５線未満である場合には，前記処理後の画像データのパワースペクトルが０．２以上となる。
そこで，前記線数検出装置６に代えて，ガウスフィルタ処理後の画像データのパワースペクトルが０．２以上であるか否かを特定することにより，線数を検出する線数検出装置１６を用いる構成も考えられる。ここに，図５は，前記線数検出装置１６のシステムブロック図である。
図５に示すように，前記線数検出装置１６は，前記画像データ入力部６１と，前記ガウスフィルタ処理部６２と，前記ガウスフィルタ処理部６２でガウスフィルタ処理が施された原稿画像データのパワースペクトルを検出するパワースペクトル検出部１６３と，前記パワースペクトル検出部１６３による検出値に基づいて前記画像データに含まれた線数を特定する線数特定部１６４と，これらを制御するＣＰＵやＤＳＰ等からなる不図示の演算処理部と，を備えて構成されている。
なお，ここでは，前記線数検出装置１６の各構成要素をハード構成として説明するが，当該線数検出装置１６の機能が，前記演算処理部や前記制御部７によって実行される線数検出プログラムに従った処理によって実現されるものであってもかまわない。この場合，かかる処理を実行する前記演算処理部或いは前記制御部７が線数検出手段に相当する。
【００２３】
前記線数検出装置１６では，以下のような手順で画像データに含まれた線数が検出される。
まず，前記演算処理部（不図示）によって前記画像データ入力部６１から入力された画像データが，前記ガウスフィルタ処理部６２に転送される。これにより，前記ガウスフィルタ処理部６２では，前記ガウスフィルタ６２ａによって画像データに含まれる網点成分を除去するガウスフィルタ処理がなされる。
次に，前記パワースペクトル検出部１６３によって，前記ガウスフィルタ処理部６２でガウスフィルタ処理が施された画像データのパワースペクトルが検出される。
そして，前記線数特定部１６４によって，前記パワースペクトルが０．２以上であるかどうかが判断されることにより，入力された画像データに６５線未満の線数が含まれているか否かが特定される。
【実施例２】
【００２４】
前記実施の形態及び前記実施例１では，前記分散値σ2が閾値ｋ以上，或いは前記パワースペクトルが０．２以上である場合に，線数が６５線未満であると判断して原稿についての複写を制限する例について説明したが，その判断の指標となる制限線数に所定の幅をもたせることも考えられる。
例えば，制限線数を３０線から６０線の範囲に設定しておき，前記分散値σ2が予め定められた分散値ｍから分散値ｎの範囲（例えば線数が３０から６０に相当）にあることや，前記パワースペクトルが予め定められたパワースペクトル値ｐからパワースペクトル値ｑの範囲（例えば線数が３０から６０に相当）にあることを条件に，原稿についての複写を制限することが考えられる。
【００２５】
また，前記ガウスフィルタ処理部６２において，マトリクスサイズの異なる複数のガウスフィルタによりガウスフィルタ処理を施し，その処理後の画像データ各々の分散値（或いはパワースペクトル値）と，予め定められた分散値（或いはパワースペクトル値）とを比較することにより，入力された画像データの線数の範囲を特定してもよい（例えば，特開２００４−２９５３１８参照）。この場合には，その特定された範囲が，予め定められた範囲の線数に含まれていることを条件に，原稿についての複写を制限すればよい。
【図面の簡単な説明】
【００２６】
【図１】本発明の実施の形態に係る複合機の概略構成を示すブロック図。
【図２】本発明の実施の形態に係る複合機に設けられた線数検出装置のシステムブロック図。
【図３】（ａ）は１７×１７のガウスフィルタを示す図，（ｂ）はガウスフィルタの周波数特性を示す図。
【図４】本発明の実施の形態に係る複合機において制御部によって実行される複写処理の一例を説明するフローチャート。
【図５】本発明の実施例１に係る複合機に設けられた線数検出装置のシステムブロック図。
【符号の説明】
【００２７】
１…操作表示部
２…スキャナ部
３…画像処理部
４…画像形成部
５…ＬＡＮ通信部
６…線数検出装置（線数検出手段の一例）
７…制御部
６１…画像データ入力部
６２…ガウスフィルタ処理部（ガウスフィルタ処理手段の一例）
６３…分散値算出処理部（分散値算出手段の一例）
６４…線数特定部（線数特定手段の一例）
Ａ…情報処理装置
Ｘ…複合機
Ｓ１，Ｓ２，，，…処理手順（ステップ）番号
【図１】
2007074548.tif 000004
【図２】
2007074548.tif 000005
【図３】
2007074548.tif 000006
【図４】
2007074548.tif 000007
【図５】
2007074548.tif 000008